(57)【要約】【課題】  部品点数を減らして径方向寸法を縮小することのできる回転伝達装置を提供する。【解決手段】  回転伝達装置１０は、同軸上で互いに対して回転可能に設けられた内側回転体１１と外側回転体１２とを備える。内側回転体１１は半硬質磁性材料からなる。外側回転体１２は、内側回転体１１の外周部に摺接する軸受部１２ｃと、内側回転体１１の外周部に間隔を開けて対向する円筒状内周部１２ｄとを含む。外側回転体１２の円筒状内周部１２ｄには、少なくともその内周面が多極着磁された円筒状永久磁石１４が固着されている。【選択図】      図２
2005147296.tif 000002
【特許請求の範囲】
【請求項１】
同軸上で互いに対して回転可能に設けられた内側回転体と外側回転体との間のトルク伝達をヒステリシストルクによって行なう回転伝達装置であって、
前記内側回転体は半硬質磁性材料からなり、
前記外側回転体は、前記内側回転体の外周部に摺接する軸受部と、前記内側回転体の外周部に間隔を開けて対向する円筒状内周部とを含み、
前記外側回転体の円筒状内周部には、少なくともその内周面が多極着磁された円筒状永久磁石が固着されている、回転伝達装置。
【請求項２】
前記半硬質磁性材料からなる内側回転体は、駆動機構に連結された回転軸を受入れる内周面を有する、請求項１に記載の回転伝達装置。
【請求項３】
前記半硬質磁性材料からなる内側回転体は、駆動機構に連結された回転軸である、請求項１に記載の回転伝達装置。
【請求項４】
前記外側回転体の材質は、Ｎｄ−Ｆｅ−Ｂ，Ｓｍ−Ｆｅ−Ｎ，Ｓｍ−Ｆｅ−Ｃｏ，Ｓｒ−フェライトおよびＡｌ−Ｎｉ−Ｃｏからなる群から選ばれ、
前記内側回転体の材質は、Ｆｅ−Ｃｒ−Ｃｏ，Ｆｅ−Ｍｎ，Ａｌ−ＮｉおよびＡｌ−Ｎｉ−Ｃｏからなる群から選ばれる、請求項１〜３のいずれかに記載の回転伝達装置。
【発明の詳細な説明】
【技術分野】
【０００１】
この発明は、永久磁石とヒステリシス材との間に生じるヒステリシストルクによってトルクを伝達する回転伝達装置（トルクリミッタ）に関するものである。
【背景技術】
【０００２】
ヒステリシストルクを利用したトルクリミッタは、複写機、プリンタ、ファクシミリ等の給紙分離装置や、オーディオ・ビデオ機器のリール台駆動装置などに用いられている。例えば、特開平６−２３５４４７号公報（特許文献１）は、給紙用摩擦ローラに適用されたトルクリミッタを開示している。
【０００３】
図１は、従来の典型的なトルクリミッタを示している。トルクリミッタは、同軸上で互いに対して回転可能に設けられた円筒状の内側回転体１と外側回転体２との間のトルク伝達をヒステリシストルクによって行なうものである。
【０００４】
内側回転体１は、図示していない駆動機構に連結された回転軸３を受入れ、この回転軸３とともに回転する。回転軸３と内側回転体１との一体回転を実現するために、回転軸３にはピン３ａが取付けられ、内側回転体１にはピン３ａを受入れる切込部１ａが形成されている。また、内側回転体１の外周部には、円筒状の永久磁石４が接着剤により固着されている。
【０００５】
外側回転体２は、一方端が開口となっている本体２ａと、本体２ａの開口を閉じる蓋体２ｂと、内側回転体１の外周部に摺接する軸受部２ｃと、内側回転体１の外周部に固着された永久磁石４に間隔を開けて対向する円筒状内周部２ｄとを有する。外側回転体２の円筒状内周部２ｄには、半硬質磁性材料からなる円筒状のヒステリシス材５が圧入により固着されている。
【０００６】
円筒状永久磁石４と円筒状ヒステリシス材５との間に所定の間隙があり、両者の間に生じるヒステリシストルクによって内側回転体１と外側回転体２との間でトルクを伝達する。
【特許文献１】特開平６−２３５４４７号公報
【発明の開示】
【発明が解決しようとする課題】
【０００７】
図１に示したような従来のトルクリミッタにおいては、多くの部品点数を必要とするためコストが高くなってしまう。また、ヒステリシス材５を外側回転体２の円筒状内周部２ｄに固着するため、必要なヒステリシストルクを発生させるには外側回転体２の径方向寸法を大きくしなければならない。外側回転体２の外周部にゴムを取付けるなどして他の機能を付与する場合があるが、外側回転体２の径方向寸法を大きくすると、そのような他機能の付与に制限がある。
【０００８】
本発明の目的は、部品点数を減らして径方向寸法を縮小することのできる回転伝達装置を提供することである。
【課題を解決するための手段】
【０００９】
この発明は、同軸上で互いに対して回転可能に設けられた内側回転体と外側回転体との間のトルク伝達をヒステリシストルクによって行なう回転伝達装置であって、以下のことを特徴とする。すなわち、内側回転体は半硬質磁性材料からなる。外側回転体は、内側回転体の外周部に摺接する軸受部と、内側回転体の外周部に間隔を開けて対向する円筒状内周部とを含む。外側回転体の円筒状内周部には、少なくともその内周面が多極着磁された円筒状永久磁石が固着されている。
【００１０】
上記構成の本発明によれば、内側回転体の外周面上に半硬質磁性材料を固着するのではなく、内側回転体自体を半硬質磁性材料で形成しているので、部品点数を減らし、なおかつ径方向寸法を縮小することができる。
【００１１】
一つの実施形態では、半硬質磁性材料からなる内側回転体は、駆動機構に連結された回転軸を受入れる内周面を有する。他の実施形態では、半硬質磁性材料からなる内側回転体は、駆動機構に連結された回転軸そのものである。
【００１２】
好ましくは、外側回転体の材質は、Ｎｄ−Ｆｅ−Ｂ，Ｓｍ−Ｆｅ−Ｎ，Ｓｍ−Ｆｅ−Ｃｏ，Ｓｒ−フェライトおよびＡｌ−Ｎｉ−Ｃｏからなる群から選ばれる。また、好ましくは、内側回転体の材質は、Ｆｅ−Ｃｒ−Ｃｏ，Ｆｅ−Ｍｎ，Ａｌ−ＮｉおよびＡｌ−Ｎｉ−Ｃｏからなる群から選ばれる。
【発明を実施するための最良の形態】
【００１３】
図２は、この発明の一実施形態を示す断面図である。図示する回転伝達装置（トルクリミッタ）１０は、同軸上で互いに対して回転可能に設けられた円筒状の内側回転体１１と外側回転体１２とを備える。内側回転体１１は、半硬質磁性材料からなる。半硬質磁性材料は、好ましくは、Ｆｅ−Ｃｒ−Ｃｏ，Ｆｅ−Ｍｎ，Ａｌ−ＮｉおよびＡｌ−Ｎｉ−Ｃｏ（Ｈｃ  ５００  Ｏｅ程度）からなる群から選ばれる。
【００１４】
半硬質磁性材料からなる内側回転体１１は、図示していない駆動機構に連結された回転軸１３を受入れる内周面を有して、回転軸１３とともに回転する。内側回転体１１と回転軸１３との一体回転を実現するために、回転軸１３にはピン１３ａが取付けられ、内側回転体１１にはピン１３ａを受入れる切込部１１ａが設けられている。
【００１５】
外側回転体１２は、一方端が開口となっている本体１２ａと、本体１２ａの開口を閉じる蓋体１２ｂとを備える。蓋体１２ｂは、内側回転体１１の外周部に摺接する軸受部１２ｃを有する。本体１２ａは、内側回転体１１の外周部に間隔を開けて対向する円筒状内周部１２ｄと、軸方向に延び内側回転体１１の端面に当接する突起部１２ｅとを有する。外側回転体の材質は、好ましくは、Ｎｄ−Ｆｅ−Ｂ，Ｓｍ−Ｆｅ−Ｎ，Ｓｍ−Ｆｅ−Ｃｏ，Ｓｒ−フェライトおよびＡｌ−Ｎｉ−Ｃｏからなる群から選ばれる。
【００１６】
図示するように、外側回転体１２の円筒状内周部１２ｄには、少なくともその内周面が多極着磁された円筒状の永久磁石１４が例えば圧入により固着されている。
【００１７】
図２に示す回転伝達装置１０では、半硬質磁性材料からなる内側回転体１１と永久磁石１４との間に生じるヒステリシストルクによって、内側回転体１１と外側回転体１２との間のトルクの伝達を行なっている。図１に示した従来のトルクリミッタと異なり、内側回転体１１自体を半硬質磁性材料で形成しているので、部品点数を減らし、なおかつ径方向寸法を縮小することができる。
【００１８】
図３は、この発明の他の実施形態を示す断面図である。図示する回転伝達装置２０は、同軸上で互いに対して回転可能に設けられた内側回転体２１と外側回転体２２とを備える。内側回転体２１は、図示していない駆動機構に連結された回転軸そのものであり、半硬質磁性材料からなる。
【００１９】
外側回転体２２は、一方端が開口となっている本体２２ａと、本体２２ａの開口を閉じる蓋体２２ｂとを備える。蓋体２２ｂは、内側回転体２１の外周部に摺接する軸受部２２ｃを有する。本体２２ａは、内側回転体２１の外周部に間隔を開けて対向する円筒状内周部２２ｄと、内側回転体２１の外周部に摺接する軸受部２２ｃとを有する。図示するように、外側回転体２２の円筒状内周部２２ｄには、少なくともその内周面が多極着磁された円筒状の永久磁石２４が例えば圧入により固着されている。
【００２０】
図３に示した回転伝達装置２０の場合、駆動機構に連結される回転軸そのものが半硬質磁性材料からなる内側回転体２１を形成しているので、図２の回転伝達装置１０に比し、さらに部品点数を減らし、より一層の小型化が可能になる。
【００２１】
図４は、この発明のさらに他の実施形態を示す断面図である。図示する回転伝達装置３０が図３の回転伝達装置２０と異なっているのは、外側回転体２２の外周部に円筒状のゴム３１を取付けている点のみである。その他の構成は実質的に同じであるので、その説明を省略する。
【００２２】
図４に示した実施形態の場合、駆動機構に連結される回転軸そのものが半硬質磁性材料からなる内側回転体２１を形成するものであるので、外側回転体２２の径方向寸法を小さくできる。したがって、円筒状ゴム３１の取付けが容易である。なお、円筒状ゴム３１の代わりに、ギヤを取付けるようにしてもよい。なお、図２ないし図４に示すいずれの実施形態においても、その伝達トルクは従来品の伝達トルクより低下することはない。
【００２３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２４】
この発明は、ヒステリシストルクによってトルクを伝達する回転伝達装置に有利に適用され得る。
【図面の簡単な説明】
【００２５】
【図１】従来のトルクリミッタを示す断面図である。
【図２】この発明の一実施形態を示す断面図である。
【図３】この発明の他の実施形態を示す断面図である。
【図４】この発明のさらに他の実施形態を示す断面図である。
【符号の説明】
【００２６】
１０、２０、３０  回転伝達装置、１１、２１  内側回転体、１２、２２  外側回転体、１２ａ、２２ａ  本体、１２ｂ、２２ｂ  蓋体、１２ｃ、２２ｃ  軸受部、１２ｄ、２２ｄ  円筒状内周部、１３  回転軸、１４、２４  永久磁石、３１  ゴム。
【図１】
2005147296.tif 000003
【図２】
2005147296.tif 000004
【図３】
2005147296.tif 000005
【図４】
2005147296.tif 000006